(57)【特許請求の範囲】
【請求項１】
単相の交流電源が入力される整流回路と、同整流回路の出力に接続された昇圧チョッパと、前記交流電源の電圧の位相を検出してゼロクロス点信号を出力するゼロクロス点検出手段と、前記ゼロクロス点信号に基づいて前記昇圧チョッパを駆動するスイッチングパルス信号を出力する制御部とを備えた電力変換装置であって、
前記ゼロクロス点検出手段は、
前記交流電源から入力された交流電圧を半波整流して、正の半周期であるＡ信号と負の半周期であるＢ信号とを出力する交流電圧検出回路と、
前記Ａ信号と前記Ｂ信号とにオフセット電圧を印加するオフセット電圧回路と、
前記Ａ信号と前記Ｂ信号の大小関係により、ハイレベル又はローレベルの位相検出信号を出力する単電源型のコンパレータとを備えた電源位相検出回路と、
前記位相検出信号のハイレベル時間とローレベル時間をそれぞれ測定し、前記ハイレベル時間と前記ローレベル時間の大小関係により前記交流電圧のゼロクロス点の時刻に対する前記位相検出信号のレベルが変化する時刻の進み／遅れを判定し、
前記位相検出信号のハイレベル時間とローレベル時間との時間差の半分の値である位相検出誤差を算出し、
前記位相検出誤差と前記時刻の進み／遅れに基づいて前記位相検出信号を補正し、前記交流電圧のゼロクロス点を求める位相補正手段とを備えたことを特徴とする電力変換装置。
【発明の詳細な説明】
【技術分野】
【０００１】
本発明は、単相交流電圧のゼロクロス点検出手段を有する電力変換装置に関する。
【背景技術】
【０００２】
従来、単相交流電圧のゼロクロス点を検出する回路を備えた電力変換装置としては、特許文献１に示すものが開示されている。この図示しない電力変換装置の位相検出回路は、単相の交流電源の２つの端子間にフォトカプラを配置し、交流電圧Ｖａｃに対応してこのフォトカプラ内のダイオードに流れる電流に基づいてフォトカプラから出力されるパルス信号（ＰＣｏｕｔ）を出力する。そして、この信号が入力されたマイコンでゼロクロスポイントのタイミングを推定し、推定したタイミングを用いて電力変換装置を制御している。
【０００３】
図６は横軸が時間を、縦軸が交流電圧Ｖａｃとフォトカプラから出力されるＰＣｏｕｔの信号をそれぞれ示している。
ＰＣｏｕｔの信号はフォトカプラに所定以上の電流が流れるｔ１〜ｔ５、ｔ６〜ｔ８の期間にハイレベルとなり、それ以外の期間ではローレベルとなる。このＰＣｏｕｔの信号のｔ５〜ｔ８を周期：ｔａｃと定義する。
【０００４】
また、ＰＣｏｕｔのハイレベル期間において、交流電圧Ｖａｃのピーク電圧のタイミングであるｔ７を中心として左右の期間が同じになる。マイコンはＰＣｏｕｔのハイレベル期間を測定し、この半分の期間であるｔ６〜ｔ７の時間を求める。そして、マイコンはＰＣｏｕｔの信号立ち上がりからｔ６〜ｔ７の時間が経過したｔ７のタイミングを基準点とし、この基準点から１／４ｔａｃが経過した時点を次のゼロクロス点、また、基準点から３／４ｔａｃが経過した時点をさらに次のゼロクロス点と予測している。
【０００５】
しかしながら、ＰＣｏｕｔが本来、ローレベルからハイレベルになるべきｔ２の直前のｔ１でノイズが発生し、ＰＣｏｕｔがｔ１〜ｔ２でハイレベルとなり、結果的にｔ１〜ｔ５の期間がハイレベルになる場合がある。この場合、本来はｔ４が交流電圧Ｖａｃのピーク電圧のタイミングであるが、マイコンがＰＣｏｕｔのハイレベル期間の中心はｔ３と誤判断するため、予測したゼロクロス点に誤差が発生する問題がある。
【０００６】
このため、ノイズの影響を受けにくい差動型の電源位相検出回路が用いられている。図２はこの電源位相検出回路５を示すブロック図である。
電源位相検出回路５は、図示しない単相交流電源の一方の端子に接続されるＡラインと、他方の端子に接続されるＢラインとが接続されている。
【０００７】
Ａラインには抵抗５１の一端が接続され、抵抗５１の他端は抵抗５２の一端に、また、抵抗５２の他端はグランドにそれぞれ接続されている。一方、Ｂラインには抵抗５３の一端が接続され、抵抗５３の他端は抵抗５４の一端に、また、抵抗５４の他端はグランドにそれぞれ接続されている。
【０００８】
一方、＋５ボルトの電源には抵抗５５の一端が接続され、抵抗５５の他端はダイオード５７のカソードに、また、ダイオード５７のアノードはグランドに接続されている。一方、＋５ボルトの電源には抵抗５６の一端が接続され、抵抗５６の他端はダイオード５８のカソードに、また、ダイオード５８のアノードはグランドに接続されている。そして、単電源型のコンパレータ５９の電源端子とグランド端子には、＋５ボルトとグランドがそれぞれ接続されている。
【０００９】
そして、コンパレータ５９の非反転入力端子（＋）は、ダイオード５７のカソード端子と、抵抗５１と抵抗５２の接続点にそれぞれ接続されている。また、コンパレータ５９の反転入力端子（−）は、ダイオード５８のカソード端子と、抵抗５３と抵抗５４の接続点にそれぞれ接続されている。なお、抵抗５１と抵抗５２の抵抗値の比率と、抵抗５３と抵抗５４の抵抗値の比率は同じであり、抵抗５５と抵抗５６の抵抗値も同じである。
【００１０】
なお、＋５ボルトの電源に接続された抵抗５５、５６と、グランドに接続された抵抗５２、５４でオフセット電圧回路６０が構成され、抵抗５１、５２、５３、５４とダイオード５７、５８で交流電圧検出回路６１が構成されている。そして、これらにコンパレータ５９を加えた回路が電源位相検出回路５となる。
【００１１】
そして、ＡラインとＢラインに単相交流電源の電圧が印加されると、交流電圧が抵抗５１と抵抗５２、抵抗５３と抵抗５４でそれぞれ分圧される。そして分圧された電圧はダイオード５７とダイオード５８でそれそれ半波整流され、この脈流電圧がコンパレータ５９の非反転入力端子（＋）と反転入力端子（−）にそれぞれ入力される。
【００１２】
それぞれの脈流電圧は単電源型のコンパレータ５９で比較するため、抵抗５５と抵抗５２によってＡライン信号に、また、抵抗５６と抵抗５４によってＢライン信号に、それぞれオフセット電圧が印加されている。従って抵抗５５と抵抗５２の抵抗比率と、抵抗５６と抵抗５４の抵抗比率がほぼ等しければ、コンパレータ５９から出力される位相検出信号は、交流電圧のゼロクロス点で信号が反転するパルス信号となる。
【００１３】
しかしながら、抵抗５５と抵抗５２、及び抵抗５６と抵抗５４のそれぞれの抵抗値誤差が大きい場合、コンパレータ５９の各入力端子に印加されるオフセット電圧が同一の電圧でなく誤差（電圧差）が発生する。一方、コンパレータ５９で比較される電圧は、一方が一定の直流電圧の時、他方の電圧は半波の正弦波である。このため、オフセット電圧の誤差が大きいほどコンパレータ５９から出力される位相検出信号のデューティー比が１：１からずれて誤ったゼロクロス点を検出してしまうという問題があった。
このため、電力変換装置はこの誤ったゼロクロス点に基づいてリアクタに流れる電流をスイッチングするため力率の悪化を招いていた。
【００１４】
一方、抵抗５５と抵抗５２と抵抗５６と抵抗５４として精度の高い抵抗を使用する方法、又は単電源型のコンパレータ５９の代わりにオフセット電圧が不要な両電源型のコンパレータを用いる方法もあるが、いずれの方法もコストアップとなってしまう問題があった。
【先行技術文献】
【特許文献】
【００１５】
【特許文献１】特開２００１−４５７６３号公報（第６−７頁、図４）
【発明の概要】
【発明が解決しようとする課題】
【００１６】
本発明は以上述べた問題点を解決し、電力変換装置のゼロクロス点検出手段において、ゼロクロス点の検出精度を向上させると共に、回路を安価に構成することを目的とする。
【課題を解決するための手段】
【００１７】
本発明は上述の課題を解決するため、本発明の請求項１に記載の発明は、単相の交流電源が入力される整流回路と、同整流回路の出力に接続された昇圧チョッパと、前記交流電源の電圧の位相を検出してゼロクロス点信号を出力するゼロクロス点検出手段と、前記ゼロクロス点信号に基づいて前記昇圧チョッパを駆動するスイッチングパルス信号を出力する制御部とを備えた電力変換装置であって、
前記ゼロクロス点検出手段は、
前記交流電源から入力された交流電圧を半波整流して、正の半周期であるＡ信号と負の半周期であるＢ信号とを出力する交流電圧検出回路と、
前記Ａ信号と前記Ｂ信号とにオフセット電圧を印加するオフセット電圧回路と、
前記Ａ信号と前記Ｂ信号の大小関係により、ハイレベル又はローレベルの位相検出信号を出力する単電源型のコンパレータとを備えた電源位相検出回路と、
前記位相検出信号のハイレベル時間とローレベル時間をそれぞれ測定し、前記ハイレベル時間と前記ローレベル時間の大小関係により前記交流電圧のゼロクロス点の時刻に対する前記位相検出信号のレベルが変化する時刻の進み／遅れを判定し、
前記位相検出信号のハイレベル時間とローレベル時間との時間差の半分の値である位相検出誤差を算出し、
前記位相検出誤差と前記時刻の進み／遅れに基づいて前記位相検出信号を補正し、前記交流電圧のゼロクロス点を求める位相補正手段とを備える。
【発明の効果】
【００１８】
以上の手段を用いることにより、本発明による単相交流電圧のゼロクロス点検出手段を有する電力変換装置によれば、請求項１に係わる発明は、位相補正手段が交流電圧のゼロクロス点の時刻に対する位相検出信号のレベルが変化する時刻の進み／遅れと位相検出誤差に基づいて位相検出信号を補正して交流電圧のゼロクロス点を求めるため、位相検出信号に位相検出誤差が含まれていても正確なゼロクロス点を求めることができる。
【図面の簡単な説明】
【００１９】
【図１】本発明による電力変換装置の実施例を示すブロック図である。
【図２】電源位相検出回路を示すブロック図である。
【図３】本発明による位相補正部を示すブロック図である。
【図４】本発明による位相補正部の動作を説明する説明図である。
【図５】本発明による位相補正部の別の動作を説明する説明図である。
【図６】従来のゼロクロス点の検出方法を説明する説明図である。
【発明を実施するための形態】
【００２０】
以下、本発明の実施の形態を、添付図面に基づいた実施例として詳細に説明する。
【実施例１】
【００２１】
図１は本発明による電力変換装置の実施例を示すブロック図である。
電力変換装置１は図１に示すように、単相の交流電源１３が接続される入力端４ａと入力端４ｂと、整流回路２と、昇圧チョッパ３と、交流電源１３の電圧の位相を検出してゼロクロス点信号を出力するゼロクロス点検出部（ゼロクロス点検出手段）３０と、昇圧チョッパ３の入力電流を検出するための電流センサ６と、電力変換装置１の入力電流を電流センサ６からの検出信号により検出する入力電流検出部８を備えている。
【００２２】
また、電力変換装置１は、昇圧チョッパ３の入力電圧を検出するための入力電圧検出部９と、昇圧チョッパ３の出力電圧（母線電圧）を検出するための出力電圧検出部１０と、昇圧チョッパ３の出力の正極である出力端４ｃと負極である出力端４ｄと、入力電流検出部８による入力電流およびゼロクロス点検出部３０から出力されるゼロクロス点信号に基づいて、昇圧チョッパ３を駆動するスイッチングパルス信号を駆動部７に出力するマイクロコンピュータなどからなる制御部１１と、制御部１１からの駆動信号により昇圧チョッパ３を駆動する駆動部７とを備えている。
【００２３】
ゼロクロス点検出部３０は、交流電源１３の電圧の位相を検出し、ハイレベルの期間とローレベルの期間の合計が交流電源１３の電圧の１周期と同じ期間になる位相検出信号として出力する電源位相検出回路５と、入力された位相検出信号を補正してゼロクロス点信号を出力する位相補正部（位相補正手段）２０で構成されている。なお、電源位相検出回路５は、背景技術で説明した回路と同じであるため詳細な説明を省略する。
【００２４】
昇圧チョッパ３は、一端が整流回路２の正端子側に接続されたリアクタ（昇圧チョークコイル）３ａと、リアクタ３ａの他端にアノード端子が接続されたダイオード３ｂと、このリアクタ３ａの他端と整流回路２の負端子側の間に接続されたスイッチング素子（例えばＩＧＢＴ；絶縁ゲート形トランジスタ）３ｃと、ダイオード３ｂのカソード端子と整流回路２の負端子側の間に接続され、昇圧された出力電圧を平滑化する平滑コンデンサ（電解コンデンサ）１２を備えている。
この昇圧チョッパ３は、スイッチング素子３ｃによってリアクタ３ａを介して短絡電流を流すことにより昇圧と力率の改善を行なう。なお、上記したリアクタ（昇圧チョークコイル）３ａの位置は、図１の位置に限るものではなく、交流電源１３と整流回路２が接続される配線に直列に接続しても良い。
【００２５】
なお、制御部１１は交流電圧における連続する２つのゼロクロス点で示される交流電源１３の半周期毎に、同半周期の前半で複数回のスイッチング動作を行うアクティブ動作期間と、半周期の後半にスイッチング動作を行わないパッシブ動作期間を設ける部分スイッチング方式で動作する。このため、制御部１１はゼロクロス点でハイレベルとローレベルが変化するゼロクロス点信号を用いて交流電源１３の電圧のゼロクロス点のタイミングを判断している。そして制御部１１はゼロクロス点から所定時間後にスイッチング素子３ｃのスイッチングを開始する。
【００２６】
次に図４を用いて電源位相検出回路５について動作説明を行なう。
なお、以降、位相検出信号の１周期において、ハイレベルの期間よりもローレベルの期間が長い場合をハイレベル短状態、ハイレベルの期間よりもローレベルの期間が短い場合をローレベル短状態とそれぞれ呼称する。
【００２７】
図４は電源位相検出回路５と位相補正部２０の動作を説明する説明図である。
図４の横軸は時間を示している。そして、縦軸において図４（１）は、単相の交流電源１３から出力される交流電圧を示している。図４（２）はコンパレータ５９の入力信号であり、実線はコンパレータ５９の非反転入力端子（＋）に入力されるＡライン信号を、破線はコンパレータ５９の反転入力端子（−）に入力されるＢライン信号をそれぞれ示している。また、図４（３）はコンパレータ５９から出力される位相検出信号を示している。なお、ｔ２１〜ｔ３０は時間を示している。また、図４（４）〜図４（６）は位相補正部２０に関わる信号であるため後で説明する。
【００２８】
図４（２）に示すようにコンパレータ５９の非反転入力端子（＋）にはダイオード５７で整流された脈流信号であるＡライン信号（実線）が、コンパレータ５９の反転入力端子（−）にはダイオード５８で整流された脈流信号であるＢライン信号（破線）が入力されており、コンパレータ５９はＢライン信号電圧よりＡライン信号の電圧が大きくなった時、コンパレータ５９の出力、つまり、図４（３）に示す位相検出信号がハイレベルになり、その逆の時に位相検出信号がローレベルとなる。
【００２９】
背景技術で説明したように、コンパレータ５９の各入力端子に印加されるオフセット電圧がほぼ同じ場合は位相検出信号のレベル変化点がゼロクロス点を示しているが、オフセット電圧が異なってその電圧の差、つまり、オフセット電圧の誤差が大きくなると、位相検出信号のレベル変化点が交流電圧のゼロクロス点とずれてしまい、この結果、そのデューティー比も１：１から大きく外れることになり、正しいゼロクロス点を検出できなくなる。このため、本発明では位相補正部２０が、この不正確な位相検出信号を補正して正確なゼロクロス点を求める構成を発明の特徴にしている。
【００３０】
次に図３のブロック図を用いて位相補正部２０の構成を説明する。
位相補正部２０は、位相検出信号のハイレベル期間を測定するハイレベル期間測定部２１と、位相検出信号のローレベル期間を測定するローレベル期間測定部２２と、ハイレベル期間とローレベル期間の時間が入力され、位相検出信号のレベル変化点と交流電圧のゼロクロス点における時間的なずれである位相誤差を算出する位相誤差算出部２３と、位相検出信号を位相誤差に基づいて補正し、正確なゼロクロス点信号を出力する位相検出信号補正部２４を備えている。
【００３１】
ハイレベル期間測定部２１とローレベル期間測定部２２がそれぞれ測定した位相検出信号のハイレベル時間とローレベル時間は位相誤差算出部２３へ出力される。位相誤差算出部２３は、交流電圧の正方向の期間、つまり、位相検出信号がハイレベルの場合、ハイレベル時間とローレベル時間を比較し、ハイレベル時間＜ローレベル時間ならばハイレベル短状態、ハイレベル時間＞ローレベル時間ならローレベル短状態、ハイレベル時間とローレベル時間がほぼ同じ、例えば５マイクロセカンド以内の違いであれば電力変換装置としての機能に影響がないため、位相誤差がない状態と判断する。なお、これらの３つの状態を位相検出状態と呼称する。また、ハイレベル時間とローレベル時間は位相検出信号のレベルが反転する都度、それぞれの時間が算出され、常に最新の値が位相誤差算出部２３へ出力される。
【００３２】
次に位相誤差算出部２３は、ハイレベル時間とローレベル時間の差の絶対値を算出し、その結果を半分にすることで位相検出誤差（時間）を算出する。そして、位相誤差算出部２３は、位相検出誤差と位相検出状態のデータを位相検出信号補正部２４へ出力する。
【００３３】
位相検出信号補正部２４は、入力された位相検出信号が示す誤ったゼロクロス点のタイミング、つまり、位相検出信号のレベル変化点と実際のゼロクロス点の位相検出誤差（時間）、及び実際のゼロクロス点に対する位相検出信号の進み／遅れである位相検出状態が入力されている。従って、位相検出信号補正部２４は、位相検出誤差と位相検出状態を用いて位相検出信号から正しいゼロクロス点でレベルが変化するゼロクロス点信号を生成する。
【００３４】
具体的に位相検出信号補正部２４は、入力された位相検出信号の立ち下がり時点で、もし、位相検出状態のデータが位相誤差がない状態であれば、位相検出信号をそのままゼロクロス点信号として出力する。もし、位相検出状態のデータがハイレベル短状態であれば、位相検出信号補正部２４は位相検出信号の立ち下がりから位相検出誤差（時間）経過後にゼロクロス点信号をローレベルにし、その時点から１／２Ｔ（交流電圧周期の半分）の時間経過後にゼロクロス点信号をローレベルからハイレベルに変化させる。
【００３５】
また、位相検出信号補正部２４は、もし、位相検出状態のデータがローレベル短状態であれば位相検出信号の立ち上がりから位相検出誤差（時間）経過後にゼロクロス点信号をハイレベルにし、その時点から１／２Ｔ（交流電圧周期の半分）の時間経過後にゼロクロス点信号をハイレベルからローレベルに変化させる。
【００３６】
次に図４の説明図を用いて位相検出信号がハイレベル短状態の場合における位相補正部２０の補正動作を説明する。
【００３７】
図４の横軸は時間を示している。図４の縦軸において、図４（１）は交流電圧を、図４（２）はコンパレータ５９の入力信号を、図４（３）は位相検出信号を、図４（４）は算出したハイレベル時間の出力タイミングを、図４（５）は算出したローレベル時間の出力タイミングを、図４（６）はゼロクロス点信号を、それぞれ示している。なお、ｔ２１〜ｔ３０は時刻を示している。
【００３８】
図４（２）に示すようにオフセット電圧の誤差により、Ａライン信号よりもＢライン信号の電圧が高くなっている。このため、コンパレータ５９は図４（３）に示すように位相検出信号のハイレベル時間がローレベル時間よりも短い位相検出信号を出力する。
【００３９】
一方、ハイレベル期間測定部２１は、位相検出信号のハイレベルの期間の時間を測定し、位相検出信号がハイレベルからローレベルに変化した時、例えばｔ２７でこのレベルの変化直前に測定したｔ２６〜ｔ２７のハイレベル時間を位相誤差算出部２３へ出力する。一方、ローレベル期間測定部２２は、位相検出信号のローレベルの期間の時間を測定し、位相検出信号がローレベルからハイレベルに変化した時、例えばｔ２６でこのレベルの変化直前に測定したｔ２３〜ｔ２６のローレベル時間を位相誤差算出部２３へ出力する。
【００４０】
位相誤差算出部２３は、ハイレベル時間＜ローレベル時間であるためハイレベル短状態と判断し、『ハイレベル短状態』の位相検出状態を示すデータと、（ローレベル時間−ハイレベル時間）／２で算出した『位相検出誤差の時間』を位相検出信号補正部２４へ出力する。
【００４１】
位相検出信号補正部２４は、『ハイレベル短状態』が入力されたため、図４（３）で示すように位相検出信号がｔ２７で立ち下がった時から、入力された『位相検出誤差の時間』が経過したｔ２８でゼロクロス点信号をハイレベルからローレベルに変化させ、ｔ２８から１／２×Ｔ( 電源電圧の周期) が経過した時、ゼロクロス点信号をローレベルからハイレベルに変化させる。位相検出信号補正部２４は、この処理を位相検出信号の１周期毎に繰り返して実行する。
【００４２】
この結果、不正確なゼロクロス点を示していた位相検出信号が、位相補正部２０によって補正され、そのレベルが反転するタイミングで正確なゼロクロス点を示すゼロクロス点信号を生成することができる。このため、制御部１１はこのゼロクロス点信号を用いて、ゼロクロス点から所定の時間だけ経過した昇圧チョッパ３のスイッチング開始タイミングを正確に求めることができ、意図した力率改善動作を実行することができる。
【００４３】
次に図５の説明図を用いて位相検出信号がローレベル短状態の場合における位相補正部２０の補正動作を説明する。
【００４４】
図５の横軸は時間を示している。図５の縦軸において、図５（１）は交流電圧を、図５（２）はコンパレータ５９の入力信号を、図５（３）は位相検出信号を、図５（４）算出したハイレベル時間の出力タイミングを、図５（５）は算出したローレベル時間の出力タイミングを、図５（５）はローレベル時間の算出結果の出力タイミングを、図５（６）はゼロクロス点信号を、それぞれ示している。なお、ｔ４１〜ｔ５０は時刻を示している。
【００４５】
図５（２）に示すようにオフセット電圧の誤差により、Ａライン信号よりもＢライン信号の電圧が低くなっている。このため、コンパレータ５９は図５（３）に示すように位相検出信号のハイレベル時間がローレベル時間よりも長い位相検出信号を出力する。
【００４６】
一方、ハイレベル期間測定部２１は、位相検出信号のハイレベルの期間の時間を測定し、位相検出信号がハイレベルからローレベルに変化した時、例えばｔ４４でこのレベル変化直前に測定したｔ４１〜ｔ４４のハイレベル時間を位相誤差算出部２３へ出力する。一方、ローレベル期間測定部２２は、位相検出信号のローレベルの期間の時間を測定し、位相検出信号がローレベルからハイレベルに変化した直後、例えばｔ４５で直前に測定したｔ４４〜ｔ４５のローレベル時間を位相誤差算出部２３へ出力する。
【００４７】
位相誤差算出部２３は、ハイレベル時間＞ローレベル時間であるためローレベル短状態と判断し、『ローレベル短状態』の位相検出状態を示すデータと（ハイレベル時間−ローレベル時間）／２で算出した『位相検出誤差の時間』を位相検出信号補正部２４へ出力する。
【００４８】
位相検出信号補正部２４は、『ローレベル短状態』のデータが入力されたため、図５（３）で示すように位相検出信号がｔ４５で立ち上がった時から、入力された『位相検出誤差の時間』が経過したｔ４６でゼロクロス点信号をローレベルからハイレベルに変化させ、ｔ４６から１／２×Ｔ( 電源電圧の周期) が経過した時、ゼロクロス点信号をハイレベルからローレベルに変化させる。位相検出信号補正部２４は、この処理を位相検出信号の１周期毎に繰り返して実行する。
【００４９】
この結果、不正確なゼロクロス点を示していた位相検出信号が、位相補正部２０によって補正され、そのレベルが反転するタイミングで正確なゼロクロス点を示すゼロクロス点信号を生成することができる。このため、制御部１１はこのゼロクロス点信号を用いて、ゼロクロス点から所定の時間だけ経過した昇圧チョッパ３のスイッチング開始タイミングを正確に求めることができ、意図した力率改善動作を実行することができる。
【００５０】
以上説明したように、位相補正部２０が電源位相検出回路５から出力される位相検出信号を補正してゼロクロス点信号を出力するため、位相検出信号にオフセット電圧の誤差による位相検出誤差が含まれていても、制御部１１は正確なゼロクロス点を求めることができる。また、位相補正部２０はソフトウェアで実現できるため、ゼロクロス点検出部３０を安価に構成することができる。さらに、オフセット電圧による誤差が発生する単電源のコンパレータ５９を使用できるため、両電源型コンパレータを使用する場合よりも安価にゼロクロス点検出部３０を構成できる。
【００５１】
本発明において位相補正部２０を、例えば特許文献１の方式、つまり、位相検出信号の半周期時間の半分のタイミングを交流電圧のピーク点とする考え方も適用可能である。しかしながら、この方式の場合、位相検出信号のローレベル時間がハイレベル時間よりも短い場合、交流電圧のピーク点を特定できたタイミングはゼロクロス点が過ぎた直後であり、その次のゼロクロス点以降でしか補正でいない。本発明ではゼロクロス点の直前で補正処理が開始されるため、交流電圧が大きく変化したり、オフセット電圧が変動したとしても素早く対応可能であり、この結果、電力変換装置１の反応速度を向上させることができる。
【符号の説明】
【００５２】
１  電力変換装置
２  整流回路
３  昇圧チョッパ
３ａ  リアクタ
３ｂ  ダイオード
３ｃ  スイッチング素子
４ａ、４ｂ  入力端
４ｃ、４ｄ  出力端
５  電源位相検出回路
６  電流センサ
７  駆動部
８  入力電流検出部
９  入力電圧検出部
１０  出力電圧検出部
１１  制御部
１２  平滑コンデンサ
１３  交流電源
２０  位相補正部
２１  ハイレベル期間測定部
２２  ローレベル期間測定部
２３  位相誤差算出部
２４  位相検出信号補正部
３０  ゼロクロス点検出部
５１、５２、５３、５４、５５、５６  抵抗
５７、５８  ダイオード
５９  コンパレータ
６０  オフセット電圧回路
６１  交流電圧検出回路
【図１】
0006686685.tif 000002
【図２】
0006686685.tif 000003
【図３】
0006686685.tif 000004
【図４】
0006686685.tif 000005
【図５】
0006686685.tif 000006
【図６】
0006686685.tif 000007